(57)【要約】【課題】低コストでカード、写真や模型等の被保持体を所定の角度に維持した状態で保持することが可能な支持具の提供。【解決手段】多角柱状軸部３０を有する支持部材３と、可撓性および復元性を有するとともに支持部材３を多角柱状軸部３０の周面で挟持する断面コの字状部２３を有するクリップ部材２とから構成される支持具１である。この支持具１では、多角柱状軸部３０を有する支持部材３がクリップ部材２の断面コの字状部２３により挟持されることで、クリップ部材２の断面コの字状部２３が多角柱状軸部３０を有する支持部材３を保持する軸受として機能する。そして、支持部材３を回転させる場合には、支持部材３の多角柱状軸部３０のいずれかの周面がクリップ部材２の断面コの字状部２３により挟持されるので、支持部材３の多角柱状軸部３０の周面の数に応じた角度単位でクリップ部材２に対する角度を維持することができる。【選択図】図１
2008203362.tif 000002
【特許請求の範囲】
【請求項１】
多角柱状軸部を有する支持部材と、
可撓性および復元性を有するとともに前記支持部材を前記多角柱状軸部の周面で挟持する断面コの字状部を有するクリップ部材と
から構成される支持具。
【請求項２】
前記クリップ部材は、ばね性を有する板材の折り曲げによって形成されたものである請求項１記載の支持具。
【請求項３】
前記支持部材は、前記多角柱状軸部の周面から延設された脚部を有するものであり、
前記クリップ部材は、前記断面コの字状部の底部から側部の一方または両方に渡って形成された開口部であって、前記脚部が挿通される開口部を有するものである
請求項１または２に記載の支持具。
【発明の詳細な説明】
【技術分野】
【０００１】
本発明は、カード、写真や模型等の被保持体を所定の角度に維持した状態で保持することが可能な支持具に関する。
【背景技術】
【０００２】
商品の名称や宣伝文句等を記載した展示カードを所定位置に配置する展示カード支持具として、例えば特許文献１に記載のものが知られている。特許文献１に記載の展示カード支持具は、所定箇所に配置可能な配置ベース体またはばねクリップ体に、軸部と軸受部とからなる回り対偶継手を介して連結されたものであって、回り対偶継手が、軸部の少なくとも一部が多角柱とされ、この多角柱に対応して軸受部が多角柱をばね弾性的に周面から挿入可能な開口部を備えた多角筒とされたものである。
【０００３】
【特許文献１】特開平８−６３０９８号公報
【発明の開示】
【発明が解決しようとする課題】
【０００４】
特許文献１に記載の展示カード支持具では、回り対偶継手を多角形咬み合いとしているので、咬合力が増大して、たとえ軸受部がへたってきても摩擦抵抗で係止可能となり、長期にわたり所定展示角度に展示カードを保持できる。しかしながら、この展示カード支持具では、回り対偶継手の軸受側が軸側の六角形、八角形または十二角形の外形に対応する形状に形成されている。このように六角形、八角形または十二角形のような多角形状の軸受を形成するためには、軸受を合成樹脂により成形することになるが、この樹脂成形の際にはそれぞれの形状に対応する金型を準備しなければならず、コストが高くなる。
【０００５】
また、この展示カード支持具では、軸受部が多角柱をばね弾性的に周面から挿入可能としなければならないが、この軸受部がばね性の小さな合成樹脂により形成されているので、軸受部が撓みやすいように軸受部を展示カード保持体に支持する部分を薄く形成することになる。そのため、この展示カード支持具では、この軸受部を支持する部分が壊れやすく、軸部と軸受部とを頻繁に着脱するような状況での使用には不向きである。
【０００６】
そこで、本発明においては、低コストでカード、写真や模型等の被保持体を所定の角度に維持した状態で保持することが可能な支持具を提供することを目的とする。
【課題を解決するための手段】
【０００７】
本発明の支持具は、多角柱状軸部を有する支持部材と、可撓性および復元性を有するとともに支持部材を多角柱状軸部の周面で挟持する断面コの字状部を有するクリップ部材とから構成されるものである。本発明の支持具では、多角柱状軸部を有する支持部材がクリップ部材の断面コの字状部により挟持されることで、クリップ部材の断面コの字状部が多角柱状軸部を有する支持部材を保持する軸受として機能する。そして、クリップ部材と支持部材とを相対的に回転させる場合には、支持部材の多角柱状軸部のいずれかの周面がクリップ部材の断面コの字状部により挟持されるので、支持部材の多角柱状軸部の周面の数に応じた角度単位でクリップ部材に対する角度を維持することができる。
【０００８】
ここで、クリップ部材は、ばね性を有する板材の折り曲げによって形成されたものであることが望ましい。これにより、板材を折り曲げるだけで上記のような可撓性および復元性を有するクリップ部材が得られる。
【０００９】
また、支持部材が、多角柱状軸部の周面から延設された脚部を有するものであり、クリップ部材が、断面コの字状部の底部から側部の一方または両方に渡って形成された開口部であって、脚部が挿通される開口部を有するものであることが望ましい。これにより、支持部材は、クリップ部材に形成された断面コの字状部の開口部に脚部を挿通するだけで良く、クリップ部材は、この支持部材の脚部を挿通した状態のまま回転させて脚部に対する角度を調整することが可能となる。
【発明の効果】
【００１０】
（１）多角柱状軸部を有する支持部材と、可撓性および復元性を有するとともに支持部材を多角柱状軸部の周面で挟持する断面コの字状部を有するクリップ部材とから構成されるので、クリップ部材は断面コの字状部を形成した簡単な構成により、支持部材を保持する軸受として機能する。この断面コの字状部は金型を用いて樹脂成形せずとも形成することができるので、クリップ部材のコストを抑えることができる。これにより、低コストで被保持体を所定の角度に維持した状態で保持することが可能な支持具が得られる。
【００１１】
（２）クリップ部材が、ばね性を有する板材の折り曲げによって形成されたものであることにより、低コストで丈夫な支持具が得られる。
【００１２】
（３）支持部材が、多角柱状軸部の周面から延設された脚部を有するものであり、クリップ部材が、断面コの字状部の底部から側部の一方または両方に渡って形成された開口部であって、脚部が挿通される開口部を有するものであることにより、支持部材はクリップ部材に形成された断面コの字状部の開口部に脚部を挿通するだけで良いため、組み立てが簡単となる。また、クリップ部材は、この支持部材の脚部を挿通した状態のまま回転させて脚部に対する角度を調整することが可能となるため、角度調整が容易となる。
【発明を実施するための最良の形態】
【００１３】
（実施の形態１）
図１は本発明の第１実施形態における支持具を示す斜視図、図２は図１のクリップ部材２の展開図、図３は図１の支持具の組み立て工程を示す側面図である。
図１において、本発明の第１実施形態における支持具１は、カード、写真や模型等の被保持体４ａ，４ｂ（図６、図７参照。）に取り付けられるクリップ部材２と、このクリップ部材２を回転可能に支持する支持部材３とから構成される。クリップ部材２には開口部２１が設けられている。
【００１４】
クリップ部材２は、図２に示すように、開口部２１が打ち抜き加工された１枚のばね性を有する板材、例えば燐青銅やステンレス鋼等の金属製板材２０を、図２に点線で示す２箇所の折り曲げ線２２ａ，２２ｂでそれぞれ同じ方向に９０°折り曲げることによって形成されたものである。なお、クリップ部材２は、この折り曲げ線２２ａ，２２ｂでの折り曲げによって、図１の上方を開口した断面コの字状部２３を構成している。
【００１５】
また、本実施形態においては、一方（図１の奥側）の壁部２４は、平面状に形成されている。他方（図１の手前側）の壁部２５は、断面コの字状部２３よりも上の部分で壁部２４側に向かって鈍角に折り曲げられ、さらに壁部２４から離れる方向に湾曲させて形成されている（図３参照。）。なお、開口部２１は、断面コの字状部２３の底部２６から壁部２５に渡って形成されており、壁部２４に至っては形成されていないが、壁部２４に一部切り込むように形成されていても良い。
【００１６】
支持部材３は、図１に示すように、断面正八角形の多角柱状軸部３０と、この多角柱状軸部３０の周面の１つから延設された脚部３１とから構成されている。前述のように、クリップ部材２は、ばね性を有する板材により形成されているので可撓性および復元性を有しており、支持部材３は、その多角柱状軸部３０の周面がクリップ部材２の断面コの字状部２３によって挟持されることにより、支持具１を構成している。なお、断面コの字状部２３は、完全なコの字を形成していなくても良く、多角柱状軸部３０に対して３面が面接触する形状であれば良い。
【００１７】
図３の（ａ）〜（ｃ）に示すように、支持部材３は、クリップ部材２の上部開口２７側から壁部２４，２５の間を拡張し、これらの壁部２４，２５の間から開口部２１へ向かって脚部３１側から挿入していく。そして、支持部材３の多角柱状軸部３０が、図３の（ｄ）に示すようにクリップ部材２の断面コの字状部２３へ入り、クリップ部材２の底部２６へ到達すると図１の支持具１が完成する。このとき、壁部２４，２５間はクリップ部材２の復元性により元の（ａ）の状態へ戻っている。
【００１８】
あるいは、図４の（ａ）に示すように、支持部材３の多角柱状軸部３０の一端をクリップ部材２の開口部２１から断面コの字状部２３へ向かって斜めに挿入していき、同図（ｂ）に示すように、多角柱状軸部３０の他端がクリップ部材２の開口部２１から断面コの字状部２３へ挿入できる位置まで押し込む。その後、同図（ｃ）に示すように多角柱状軸部３０をクリップ部材２の底部２６へ押し込み、支持部材３の脚部３１を所定の位置まで下げることにより、図１の支持具１が完成する。
【００１９】
次に、上記構成の支持具１の角度調整機能について説明する。図５は支持具１の角度調整の様子を示す側面図である。図５の（ａ）の状態では、支持部材３は、その脚部３１が延設されている多角柱状軸部３０の周面の１面３０ａとそれぞれ９０°を形成する２面３０ｂ，３０ｃによってクリップ部材２の断面コの字状部２３に挟持されている。これにより、クリップ部材２の壁部２４の外面（図５の左側の面）は、支持部材３の脚部３１と平行な状態に維持される。
【００２０】
この図５の（ａ）の状態から支持部材３の脚部３１を同図（ｂ）の状態へ図の右へ４５°傾斜させようとする場合、多角柱状軸部３０の外接円が断面コの字状部２３に内接するので、この断面コの字状部２３は一旦撓んで拡がり、同図（ｂ）の状態で元に戻る。そして、支持部材３は、前述の２面３０ｂ，３０ｃの図の反時計回りの隣の２面３０ｄ，３０ｅによってクリップ部材２の断面コの字状部２３に挟持される。これにより、クリップ部材２の壁部２４の外面は、支持部材３の脚部３１と２２５°をなす状態に維持される。
【００２１】
さらに、この図５の（ｂ）の状態から支持部材３の脚部３１を同図（ｃ）の状態へ図の上方へ４５°傾斜させた場合、支持部材３は、前述の２面３０ｄ，３０ｅの図の反時計回りの隣の２面、すなわち脚部３１が延設されている多角柱状軸部３０の周面の１面３０ａとこの面３０ａに対向する１面３０ｆによってクリップ部材２の断面コの字状部２３に挟持される。これにより、クリップ部材２の壁部２４の外面は、支持部材３の脚部３１と９０°をなす状態に維持される。
【００２２】
以上のように本実施形態における支持具１では、多角柱状軸部３０を有する支持部材３がクリップ部材２の断面コの字状部２３により挟持されることで、クリップ部材２の断面コの字状部２３が多角柱状軸部３０を有する支持部材３を保持する軸受として機能する。そして、前述のように支持部材３を回転させる場合には、支持部材３の多角柱状軸部３０のいずれかの周面３０ａ〜３０ｆがクリップ部材２の断面コの字状部２３により挟持されるので、支持部材３の多角柱状軸部３０の周面の数に応じた角度単位（本実施形態においては４５°単位）でクリップ部材２に対する角度を維持することができる。
【００２３】
このような支持具１では、断面コの字状部２３を有するクリップ部材２を、金型を用いて樹脂成形せずとも前述のように金属製板材２０の打ち抜き加工と折り曲げ加工により形成することができるので、クリップ部材２のコストを抑えることができ、低コストな支持具１が得られる。また、本実施形態においては、クリップ部材２が金属製板材２０の折り曲げによって形成されているので、低コストで丈夫な支持具１となる。
【００２４】
また、この支持具１では、支持部材３はクリップ部材２に形成された断面コの字状部２３の開口部２１に脚部３１を挿通するだけで良いため、組み立てが簡単である。また、クリップ部材２は、図５に示すように、この支持部材３の脚部３１を挿通した状態のまま回転させて脚部３１に対する角度を調整することが可能であるため、角度調整が容易である。
【００２５】
なお、本実施形態においては多角柱状軸部３０を断面正八角形としているが、本発明の支持具はこれに限られるものではない。要するに、支持部材３を回転させた際に断面コの字状部２３によって多角柱状軸部３０を挟持でき、その角度を維持できれば断面正三角形でも断面正四角形でも良い。但し、細かな角度単位で角度を維持できるようにするためには、多角柱状軸部３０を断面正八角形以上とするのが望ましい。また、所定の角度を安定して維持できるようにするためには、対向する面が平行となる断面正多角形を選択することが望ましい。
【００２６】
ここで、本実施形態における支持具１の適用例について説明する。図６は鉢植えのネームプレートを被保持体とした場合の例を示している。図６に示すように、この場合、ネームプレート４ａの裏面に支持具１のクリップ部材２を固定しておき、支持部材３の脚部３１を鉢植え５に突き刺して使用する。このとき、ネームプレート４ａの表面には鉢植え５の説明図や説明文等を記載しておく。そして、この鉢植え５を載置する場所の高さに応じて、ネームプレート４ａの表面が視認しやすいように前述の通りクリップ部材２を回転させる。
【００２７】
また、図７は鉢植えのネームプレートを支持具１のクリップ部材２により挟持した場合の例を示している。図７に示すように、この場合、ネームプレート４ｂを支持具１のクリップ部材２の壁部２４，２５の間に直接挟み込むことにより保持し、上述のように支持部材３の脚部３１を鉢植えに突き刺して使用する。このようにネームプレート４ｂをクリップ部材２に直接挟み込むことで、ネームプレート４ｂを容易に交換することが可能となる。
【００２８】
また、このようにネームプレート等を直接挟み込んで使用する場合には、図８に示すクリップ部材２００のように、開口部２０１が設けられた壁部２０２に断面Ｖ字状の折り返し部２０３を設けることが望ましい。これにより、ネームプレート（図示せず。）を壁部２０２，２０４間に直接挟み込んだ際に、この断面Ｖ字状の折り返し部２０３の底部２０３ａがネームプレートを押さえるので、ネームプレートをよりしっかりと保持することが可能となる。なお、図８の例では折り返し部２０３を１つだけ設けているが、これはいくつでも構わない。
【００２９】
また、図示しないが、脚部３１の下部に土台を設け、ネームプレート４ａ，４ｂに代えてフォトフレームを固定すれば、写真立てとして使用することも可能である。さらに、脚部３１の下部にクリップを設け、板やパイプ等に取り付け可能な構成とすることも可能である。その他、ネームプレート４ａ，４ｂに代えてカードホルダや模型等を固定することも可能である。
【００３０】
（実施の形態２）
図９は本発明の第２実施形態における支持具を示す斜視図であって、（ａ）は全体を示す図、（ｂ）は支持部材のみを示す図、（ｃ）は支持部材を分解した状態を示す図である。
【００３１】
図９（ａ）に示すように本発明の第２実施形態における支持具６は、前述のクリップ部材２と同図（ｂ）に示す矩形フレーム状の支持部材７とから構成されている。支持部材７は、同図（ｃ）に示すように、断面正方形の枠体７０と、断面正八角形の多角柱状軸部材７１との２つの部材により構成されている。多角柱状軸部材７１の軸中心には、枠体７０の凸部７２を嵌合して固定するための凹部７３が形成されている。このような支持部材７では、先に多角柱状軸部材７１をクリップ部材２の断面コの字状部２３内へ図９（ａ）の側方から挿入し、その後、枠体７０を左右に押し広げて凸部７２を多角柱状軸部材７１の凹部７３に嵌合させることによって容易に組み立てることが可能である。このような構成の支持具６であっても第１実施形態における支持具１と同様に支持部材７に対するクリップ部材２の角度を所定の角度で維持することが可能である。
【００３２】
図１０はバッジを被保持体として支持具６を適用した例を示している。この場合、図１０に示すように支持具６をバッジ８の裏面に固定しておく、バッジ８の裏面にはピンバッジとして使用可能なようにピン９が設けられている。バッジ８をピンバッジとして使用する場合には、支持具６をバッジ８の裏面に沿う位置に維持し、矩形フレーム状の支持部材７の内側を通じてピン９を利用する。また、このバッジ８では支持部材７の角度を調節することによって、バッジ８を卓上に立てることが可能となるので、２通りの利用形態を備えたものとなる。
【００３３】
なお、図示しないが、バッジ８の裏面のピン９に代えてマグネットが設けられたものであっても同様に適用可能である。また、第１実施形態において説明したように、バッジ８に代えてネームプレートやカードホルダ等を被保持体としても良い。
【産業上の利用可能性】
【００３４】
本発明の支持具は、カード、写真や模型等の被保持体を所定の角度に維持した状態で保持するための器具として有用である。
【図面の簡単な説明】
【００３５】
【図１】本発明の第１実施形態における支持具を示す斜視図である。
【図２】図１のクリップ部材の展開図である。
【図３】図１の支持具の組み立て工程を示す側面図である。
【図４】図１の支持具の別の組み立て工程を示す側面図である。
【図５】支持具の角度調整の様子を示す側面図である。
【図６】鉢植えのネームプレートを被保持体とした場合の例を示す図である。
【図７】鉢植えのネームプレートを被保持体とした場合の例を示す図である。
【図８】クリップ部材の別の形状例を示す斜視図である。
【図９】本発明の第２実施形態における支持具を示す斜視図であって、（ａ）は全体を示す図、（ｂ）は支持部材のみを示す図である。
【図１０】バッジを被保持体として支持具を適用した例を示す図である。
【符号の説明】
【００３６】
１，６  支持具
２  クリップ部材
２０  金属製板材
２１  開口部
２３  断面コの字状部
２４，２５  壁部
２６  底部
３，７  支持部材
３０  多角柱状軸部
３１  脚部
７０  枠体
７１  多角柱状軸部材
７２  凸部
７３  凹部
４ａ，４ｂ  ネームプレート
５  鉢植え
８  バッジ
９  ピン
２００  クリップ部材
２０１  開口部
２０２，２０４  壁部
２０３  折り返し部
【図１】
2008203362.tif 000003
【図２】
2008203362.tif 000004
【図３】
2008203362.tif 000005
【図４】
2008203362.tif 000006
【図５】
2008203362.tif 000007
【図６】
2008203362.tif 000008
【図７】
2008203362.tif 000009
【図８】
2008203362.tif 000010
【図９】
2008203362.tif 000011
【図１０】
2008203362.tif 000012